Podtech/llm-jp-corpus-v4-ja_patent huggingface dataset:
(57)【要約】【課題】本発明は、カメラを装着した防水ケース内での不要な光をカメラレンズに映り込まないようにして良好な撮影が期待できる遮光機構付きポートを提供するものである。【解決手段】本発明は、カメラを防水構造で着脱自在に内臓する防水ケースであって、前記カメラの鏡筒が挿入される前記防水ケースのポートと、該ポートの内側に前記鏡筒の外径より僅かに小さい内径の孔を設けたドーナッツ状の遮光板を設けてなり前記鏡筒を前記遮光板の孔に挿入し、前記カメラのフラッシュ光或いはその他の光がカメラのレンズ内に回り込まないようにしたことを特徴とする遮光機構付きポート。【選択図】図２
2010054539.tif 000002
【特許請求の範囲】
【請求項１】
カメラを防水構造で着脱自在に内臓する防水ケースであって、前記カメラの鏡筒が挿入される前記防水ケースのポートと、該ポートの内側に前記鏡筒の外径より僅かに小さい内径の孔を設けたドーナッツ状の遮光板を設けてなり前記鏡筒を前記遮光板の孔に挿入し、前記カメラのフラッシュ光或いはその他の光がカメラのレンズ内に回り込まないようにしたことを特徴とする遮光機構付きポート。
【請求項２】
前記遮光板を前記ポート内周に複数重設けたことを特徴とする請求項１記載の遮光機構付きポート。
【請求項３】
前記ドーナッツ状の遮光板は外周に対して中心の孔側である内周の肉厚を薄くしたことを特徴とする請求項１記載の遮光機構付きポート。
【発明の詳細な説明】
【技術分野】
【０００１】
本発明は、所謂、カメラを内臓できる防水ケース内でカメラのフラッシュをさせた場合、その光り或いはその他の光がカメラのレンズに回り込んで映り込んでしまうのを防止する遮光機構付きポートに関するものである。
【背景技術】
【０００２】
一般にダイビングする人が水中で撮影する場合、カメラを防水ケースに装着し、外部からシャッターなどを操作することで撮影を行っている。この時、通常、カメラのストロボが発光されるがこの光が防水ケース内で乱反射し、その光がカメラの鏡筒と防水ケースのポートとの間を通ってカメラレンズ側へ回り込んで撮影に悪い影響を及ぼす。
【０００３】
図１はその状態を示すものでカメラの鏡筒１が挿入される防水ケースのマウント２に取り付けたポート３と前記鏡筒１との間隙にフラッシュ光或いは乱反射した光（→で示している）が通って前面のカメラのレンズに回り込み入射する、これによって映りこみが生じる。従ってその対策が必要になる。
【０００４】
文献はズームカメラにおいて鏡筒の変倍動作に追従して、有効光線に対して遮光板をほぼ一定の間隔で動かすことで、鏡筒内の有害な内面反射を効果的に防止するものであるが、機構が複雑で且つポートと鏡筒との間での不要な進入光を防止するものでない。
【特許文献１】特開平７−０６３９６９号公報
【発明の開示】
【発明が解決しようとする課題】
【０００５】
本発明は、カメラを装着した防水ケース内での不要な光をカメラレンズに映り込まないようにして良好な撮影が期待できる遮光機構付きポートを提供するものである。
【発明の効果】
【０００６】
本発明は、上記事情に鑑みてなされたものであり、カメラを防水構造で着脱自在に内臓する防水ケースのポートと、ポートの内側にカメラの鏡筒を通す内周が外周より柔らかい孔を形成したドーナッツ状の遮光板を配置し、これに鏡筒を通すので不要な光がカメラのレンズに回り込み映り込みが生じないもので良好な撮影ができる効果がある遮光機構付きポートを提供できる。
【発明を実施するための最良の形態】
【０００７】
本発明は、内周の肉厚を外周の肉厚より薄くして柔軟性を確保し、このように形成した孔を有するドーナッツ状の遮光板をポート内に取り付けることで、鏡筒の軸方向の動きに対して円滑性を確保し、合わせて遮光も確実なものとして期待できる。
【実施例】
【０００８】
以下に、本発明の実施例に係る遮光機構付きポートについて図面２乃び図面３を参照して詳細に説明する。
【０００９】
１１はカメラの鏡筒で、この鏡筒１１は軸方向に移動できる構造で構成されている。このようなカメラ（図示しない）はダイバーなどが水中で利用する場合、このカメラに適合した防水ケース内に装着される。この防水ケースのマント２１にはバイオネット構造でポート３１が取り付けられている。
【００１０】
このポート３１にはカメラの鏡筒１１が挿入配置される。前記ポート３１の鏡筒１１の挿入側には遮光板４１が配置されて図１の矢印→で示したカメラのフラッシュ光（乱反射した光も含む）を鏡筒１１の前方にあるレンズから回り込んで映り込みが生じないようにする。
【００１１】
これによって映り込みは生じない。この場合、前記遮光板４１は図３に拡大して示したように弾力性のある素材をドーナッツ状にし、鏡筒３１に当接する箇所に行くに従って肉薄にすることで鏡筒１１が制動を強く受けることが無いようにしている。詰り遮光板４１は外周が肉厚で、確実にポート３１の内壁に嵌合されていて、内周は肉薄で弾力性が弱く鏡筒１１の外周に弱く接し、フラッシュ光（乱反射も含む）を鏡筒１１のレンズ側に回り込まないようにし、映り込まないようにしている。
【００１２】
上述した本実施例では遮蔽板４１の遮蔽機構を構成したのでフラッシュ光（乱反射の光）がカメラのレンズ側に回りこんで映り込みといったようなことが無くなるものである。従って良好な撮影が実現できる。
【産業上の利用可能性】
【００１３】
本発明の遮光機構付きポートは鏡筒に対して柔らかく接するので鏡筒の動作を邪魔することも無く効果的である。
【図面の簡単な説明】
【００１４】
【図１】鏡筒とポートの関係を説明する構成図である。
【図２】本発明の実施例に係わる遮光板機構付きポートの概略構成図である。
【図３】図２の○印箇所の拡大概略図である。
【符号の説明】
【００１５】
１、１１    鏡筒
２、２１    マウント
３、３１    ポート
４、４１    遮蔽板
【図１】
2010054539.tif 000003
【図２】
2010054539.tif 000004
【図３】
2010054539.tif 000005
(57)【要約】【課題】  本発明は、本発明は、カメラを装着した防水ケース内及び長いポートの外からの不要な光をカメラレンズに映り込まないようにして良好な撮影が期待できるポートの遮光機構を提供するものである。【解決手段】  本発明は、カメラを防水構造で着脱自在に内臓する防水ケースであって、前記カメラの鏡筒が挿入される前記防水ケースのポートと、前記鏡筒を挿入し前記ポートの内側先端からカメラの鏡筒の基部まで延びた遮光板とからなり、カメラのフラッシュ光り或いは其の他の光りがカメラのレンズ内に回り込まないようにしたことを特徴とするポートの遮光機構。【選択図】図２
2010054540.tif 000002
【特許請求の範囲】
【請求項１】
カメラを防水構造で着脱自在に内蔵する防水ケースであって、前記カメラの鏡筒が挿入される前記防水ケースのポートと、前記鏡筒を挿入し前記ポートの内側先端からカメラの鏡筒の基部まで延びた遮光板とからなり、カメラのフラッシュ光り或いは其の他の光りがカメラのレンズ内に回り込まないようにしたことを特徴とするポートの遮光機構。
【請求項２】
前記遮光板は蛇腹形状にして設けたことを特徴とする請求項１記載のポートの遮光機構。
【発明の詳細な説明】
【技術分野】
【０００１】
本発明は、所謂、カメラを内蔵できる防水ケース内でカメラのフラッシュをさせた場合、その光り或いはその他の光がカメラのレンズに回り込んで映り込んでしまうのを防止するポートの遮光機構に関するものである。
【背景技術】
【０００２】
一般にダイビングする人が水中で撮影する場合、カメラを防水ケースに装着し、外部からシャッターなどを操作することで撮影を行っている。この時、通常カメラのストロボが発光されるがこの光が防水ケース内で乱反射し、その光がカメラの鏡筒と防水ケースのポートとの間を通ってカメラレンズ側へ回り込む。またポートもカメラの鏡筒を挿入する構造上、此の箇所の外部からカメラのレンズ部分に不要な光りが回り込み撮影に悪影響を及ぼす。
【０００３】
図１はその状態を示すものでカメラの鏡筒１が挿入される防水ケースのマウント２に取り付けたポート３と前記鏡筒１との間隙にフラッシュ光或いは乱反射した光（→で示している）が通って前面のカメラのレンズに回り込み入射する、これによって映りこみが生じる。従ってその対策が必要になる。４は防水ケースの外部遮断ガラスである。
【０００４】
文献はズームカメラにおいて鏡筒の変倍動作に追従して、有効光線に対して遮光板をほぼ一定の間隔で動かすことで、鏡筒内の有害な内面反射を効果的に防止するものであるが、機構が複雑で且つポートと鏡筒との間での、また、長い鏡筒の外部からの不要な進入光を防止するものでない。
【特許文献１】特開平７−０６３９６９号公報
【発明の開示】
【発明が解決しようとする課題】
【０００５】
本発明は、カメラを装着した防水ケース内及び長いポートの外からの不要な光をカメラレンズに映り込まないようにして良好な撮影が期待できるポートの遮光機構を提供するものである。
【発明の効果】
【０００６】
本発明は、上記事情に鑑みてなされたものであり、ポートの外からの或いはカメラのフラッシュ光等の光りが不要な光としてカメラレンズに回り込むのを防止できるものでしかも鏡筒の軸方向の動作にも妨げにならないポートの遮光機構を提供するものである。
【発明を実施するための最良の形態】
【０００７】
本発明は、ポートの先端内側からカメラの鏡筒の基部に蛇腹状の遮光板を配置することによって、鏡筒の外部からのあるいはカメラのフラッシュ光りの不要な光のカメラのレンズへの周り込みを阻止し、良好な撮影が期待できるものである。
【実施例】
【０００８】
以下に、本発明の実施例に係るポートの遮光機構について図２及び図３を参照して詳細に説明する。
【０００９】
１１はカメラの鏡筒で、この鏡筒１１は軸方向（矢印で示す）に移動できる構造で構成されている。このようなカメラ（図示しない）はダイバーなどが水中で利用する場合、このカメラに適合した防水ケース内に装着される。この防水ケースのマント２１にはバイオネット構造でポート３１が取り付けられている。
【００１０】
このポート３１にはカメラの鏡筒１１が挿入配置される。前記ポート３１と鏡筒１１との空間には遮光板４１が配置される。此の場合遮光板４１は一端をポート３１の先端内側に固定される。遮光板４１の他端は前記鏡筒１１のカメラボデーの一部である基部５１に取り付けられ、遮光板４１は蛇腹構造になっている。
【００１１】
前記基部５１の外周には固定のリング６１を取り付けてあって、此のリング６１にはネジ或いはバイオネット構造で固定リング７１が取り付けてある。之によってカメラのフラッシュ光り（乱反射した光りも含む）、或いはポート３１の外周からの不要な光りが図１の矢印→で示したようにカメラの鏡筒１１の前面（レンズ側）から入らなくなる。
【００１２】
これによって映り込みは生じない。この場合、遮光板４１は蛇腹形状で素材は弾力性がある形状が復元するものを選択する。しかしやや弾力性を欠いてもカメラの鏡筒１１の軸方向の移動には抵抗には、図３は遮光板４１を固定リング７１に固定する部分を拡大して示したが、遮光板４１の先端が確実に固定リング７１に固定できれば構造は問わない。此の場合遮光板４１のポート３１に取り付けた箇所も同様である。８１はポート３１のガラスであって防水構造になっている。
【００１３】
上述した本実施例では遮光板４１の遮蔽機構を蛇腹構造にし、而もポート３１の先端からカメラの基部５１に設けた固定リング７１まで延長して設けたからポート３１の外側からの光り或いはフラッシュ光（乱反射の光）が内側を通ってカメラのレンズ側に回りこんで映り込みといったようなことが無くなるものである。従って良好な撮影が実現できる。
【産業上の利用可能性】
【００１４】
本発明のポートの遮光機構は鏡筒に対して柔らかく接するので鏡筒の動作を邪魔することも無く効果的である。
【図面の簡単な説明】
【００１５】
【図１】鏡筒とポートの関係を説明する構成図である。
【図２】本発明の実施例に係わるポートの遮光機構の概略構成図である。
【図３】図２の○印箇所の拡大概略図である。
【符号の説明】
【００１６】
１、１１    鏡筒
２、２１    マウント
３、３１    ポート
４、４１    遮蔽板
５１、      基部
６１、      リング
７１、      固定リング
８１、      ガラス
【図１】
2010054540.tif 000003
【図２】
2010054540.tif 000004
【図３】
2010054540.tif 000005
(57)【要約】【課題】    独自性がある結婚式の演出を採り入れようと考えた時、記念になるように、結婚式出席者が電子ペンで書いた手書きメッセージ付きウェルカムボードを提供する。【解決手段】    タッチパネルディスプレイ内にウェルカムボード画像を表示させ、メッセージ記入欄に手書きメッセージを記入するとそのメッセージが書き添えられたウェルカムボードが新郎新婦の基へと届くことを特徴とする。【選択図】図１
2010170510.tif 000002
【特許請求の範囲】
【請求項１】
タッチパネルディスプレイ（１）内に表示されるホームページ画面（ウェルカムボード画像を背景画像に設定したホームページ）（２）をタッチすると、動画ウィンドウ（４）内に新郎新婦からのメッセージ動画が再生され、かつ出席者がメッセージ書き込みスペース（３）に電子ペンを使用して手書きメッセージを書き込むと、描かれた文字と座標情報とを認識し、ホームページ画面（２）との合成画像を保存でき、このようにして作成された画像が手書きメッセージ付きウェルカムボード（５）へと加工され、新郎新婦の手元へ届く、結婚式演出サービスシステムである。
【発明の詳細な説明】
【技術分野】
【０００１】      ブライダルウェルカムボードにタッチパネル式ディスプレイならびにインターネットサービスを組み合わせることを特徴とするサービス。
【背景技術】
【０００２】      従来のブライダルウェルカムボードのサービスは、結婚披露宴会場の入口等に飾り付け、新郎新婦の変わりに出席者（ゲスト）をお迎えするために設けられるものである。
【発明の概要】
【発明が解決しようとする課題】
【０００３】      従来までのウェルカムボードには、以下のような欠点があった。
（イ）静止画及び文字のみのため、表現力に限界がある。
（ロ）顧客ニーズの多様化に十分対応できていない。
（ハ）ウェルカムボードは披露宴終了後に再度利用される機会がほとんど無い。
【課題を解決するための手段】
【０００４】      以上の課題を解決するための第一の発明はウェルカムボードに『タッチパネル対応液晶ディスプレイ端末』を使用することである。
また、第２の発明はウェルカムボードのデザインをタッチパネルディスプレイ上に表示し、新郎新婦の画像部分のタッチするとメッセージ動画が視聴できる。これにより従来までの『静止画』や『文字』による表現の他、『動画』や『音声』による心のこもった表現が可能になる。
そして第３の発明は、動画を視聴したゲストは画面内のウェルカムボードにタッチペンを使用して手書きメッセージを書き込むことができる。
また、披露宴終了後はその手書きメッセージが書き添えられた、心のこもったウェルカムボードが作成・配送され、新郎新婦の手元へ届く。
つまり、タッチパネルディスプレイ（１）内に表示されるホームページ画面（ウェルカムボード画像を背景画像に設定したホームページ）（２）をタッチすると、動画ウィンドウ（４）内に新郎新婦からのメッセージ動画が再生され、かつ出席者がメッセージ書き込みスペース（３）に電子ペンを使用して手書きメッセージを書き込むと、描かれた文字と座標情報とを認識し、ホームページ画面（２）との合成画像を保存でき、このようにして作成された画像が、手書きメッセージ付きウェルカムボード（５）へと加工され、新郎新婦の手元へ届く、結婚式演出サービスシステムである。
この発明の実施形態を、図１に示す。
【発明の効果】
【０００５】（イ）ウェルカムボードの液晶ディスプレイ化ならびにインターネット接続との併用により表現力が従来よりも飛躍的に向上。
（ロ）タッチパネルを採用することにより、年少者からお年を召した方まで幅広い年齢増の方が直感的な操作で楽しむことが可能。
（ハ）動画や音声による動きが加わることにより、オリジナル性豊かな表現が可能となる。
（ニ）ウェルカムボードに手書きメッセージを加えることにより、既存製品にはないオリジナル性を容易に演出することが出来る。
【図面の簡単な説明】
【０００６】
【図１】  本発明にて使用されるタッチパネルディスプレイの正面図である。
【図２】  本発明により提供されるウェルカムボードの正面図である。
【発明を実施するための形態】
【０００７】      以下、本発明を実施するための最良の形態について説明する。
披露宴会場の受付にタッチパネルディスプレイ（１）を設置する。
披露宴当日、参加者（ゲスト）にウェルカムボードの画像を背景にしたホームページ画面（２）をタッチしてもらい、動画ウィンドウ（４）で再生されるメッセージ動画を視聴していただく。
付属の電子ペンを使用して、手書きメッセージスペース（３）にメッセージを書いてもらう。
後日、手書きメッセージが添えられたウェルカムボード（５）が配送される。
【産業上の利用可能性】
【０００８】      この使用形態によれば、手書きメッセージが添えられたウェルカムボード画像を活用した結婚報告ハガキの作成や、またブライダル分野以外でも企業様の展示会等における情報インフォメーション端末としての活用や、販売促進グッズとしての使用も可能である。
【符号の説明】
【０００９】１  タッチパネルディスプレイ
２  ウェルカムボードの画像を背景にしたホームページ画面
３  手書きメッセージを書き込むスペース
４  動画表示ウィンドウ
５  手書きメッセージが書き込まれたウェルカムボード
【図１】
2010170510.tif 000003
【図２】
2010170510.tif 000004
(57)【要約】【課題】非接触型ＩＣカードの使用に困難を覚える人々の補助となり、小児・幼児や非接触型ＩＣカードを使用するインフラに不慣れな人にも配慮した、便利な非接触型ＩＣカード収納具を提供すること。【解決手段】従来の非接触型ＩＣカード収納具は板状の物であるが、これを立体形状にする。これにより、手でつかみやすくなり利便性が向上する。さらに形状によって使用方法および用途を示唆できる効果もある。また個性的な形状により識別性が向上するとともに、忘失防止効果も期待できる。【選択図】図１
2010170509.tif 000002
【特許請求の範囲】
【請求項１】
手でつかめる立体形状を特徴とする非接触型ＩＣカード収納具。
【請求項２】
請求項１の非接触型ＩＣカード収納具において、電車やバスなど、カードの用途を想起させ示唆する形状をもつ非接触型ＩＣカード収納具。
【請求項３】
請求項１の非接触型ＩＣカード収納具において、動物・植物・人物・物語の登場人物などを模した立体形状をもつ、個性的で識別性が高い非接触型ＩＣカード収納具。
【発明の詳細な説明】
【技術分野】
【０００１】本発明は、手でつかめる立体形状をした非接触型ＩＣカード収納具に関する。
【背景技術】
【０００２】    公共交通機関の乗車券や電子マネーをはじめとして、非接触型ＩＣカードは近年急速に普及し、生活に不可欠なインフラとなりつつある。
【発明の概要】
【発明が解決しようとする課題】
【０００３】公共交通機関の乗車券や電子マネーとして非接触型ＩＣカードが一般に普及し、生活必需品となるにつれ、以下のような課題が生じている。
イ）手指に障害を持つ人、老齢等により手指の感覚が鈍くなっている人など、カードを読取機にかざすという利用行為に困難を覚える人々にとって、従来の板状の収納具は使いにくい。
ロ）小児・幼児、ならびに海外からの来訪者など非接触型ＩＣカードに不慣れな人にとっては、カードをかざすという行為の説明が最初に必要なため、カードの使用方法が簡単に示唆される収納具が必要とされている。
ハ）定期券と電子マネーなど複数の非接触型ＩＣカードを携行する場合などにおいて、それらの識別を容易にするために、より個性的で識別性の高い収納具が必要とされるが、従来の板状の収納具は平凡である。
ニ）電子マネーとして利用される場合では、紛失が経済的損失に直結する恐れがあるの。物理的にも心理的にも忘失しにくい個性的で識別性の高い形状が求められているが、従来の板状の収納具は平凡である。
【課題を解決するための手段】
【０００４】非接触型ＩＣカード収納具を、手でつかめる立体形状にする。さらなる利便性の向上のために、使用方法ならびに用途を示唆する形状を与える。また、個性的で識別性の高い形状を与える。
【発明の効果】
【０００５】非接触型ＩＣカード収納具が立体形状になることによる特徴的な効果として、つかみやすさによる利用補助効果、形状による使用方法の示唆効果、用途の示唆効果、個性的な形状による識別性の向上、識別性の向上に伴う忘失防止効果が挙げられる。
特に有益な効果が期待できる具体的なケースは以下の通りである。
イ）非接触型ＩＣカード収納具を立体形状、特に取っ手のようなにデザインすることにより、手指に障害を持つ人や、老齢により握力や手指の感覚が弱くなっている人でも、非接触型ＩＣカードが利用しやすくなる。
ロ）非接触型ＩＣカード収納具を立体形状、特に取っ手のようなにデザインすることにより、その使用方法（すなわち読取機にかざすという行為）が容易に示唆される。これにより、使用方法を教育することも容易になるし、習得することも容易になる。
ハ）非接触型ＩＣカード収納具を立体形状、特に電車やバスを模すなどして使用目的と合致する形状にすることにより、収納しているカード用途が示唆されることとなる。小児・幼児にもわかりやすいので、小児・幼児に非接触型ＩＣカードを携行させるにあたって特に有意義である。
ニ）非接触型ＩＣカード収納具を、動物・植物・人物・物語の登場人物などの個性的な形状にすることにより識別性が格段に向上する。収納具をカバン等に格納するときや、複数のカードを携行するときに便利であるし、忘失防止の効果が期待できる。
【図面の簡単な説明】
【０００６】
【図１】取っ手部がはっきりと現れる立体形状（取っ手型）の非接触型ＩＣカード収納具の斜面図。
【図２】図１の底面
【図３】取っ手部・カードケース部が一体となったデザインの一例となる、立体形状（取っ手型）の非接触型ＩＣカード収納具の斜面図
【図４】図３の断面図
【図５】いわゆるぬいぐるみ素材の立体形状（鉄道車両をデザインした）の非接触型ＩＣカード収納具の斜面図
【図６】図５の断面図
【図７】主に厚手のフェルトなどの布での製作を想定した、立体形状（花弁をデザインした）の非接触型ＩＣカード収納具の断面図
【図８】図７のカード挿入口を開けた図
【符号の説明】
【０００７】１０１  取っ手部
１０２  カードケース部
１０３  底面
１０４  カードポケット部
２０１  取っ手とカードケースの一体形状
２０２  カード挿入口・カードポケット部
２０３  断面図
２０４  カードを収納する空間
３０１  鉄道車両を模した形状
３０２  底面にカード挿入口
３０３  断面図
３０４  中綿
３０５  カードを収納する空間
４０１  花を模した形状
４０２  花の中央部がスナップ付のフタ
４０３  開くとカード挿入口が現れる
【図１】
2010170509.tif 000003
【図２】
2010170509.tif 000004
【図３】
2010170509.tif 000005
【図４】
2010170509.tif 000006
【図５】
2010170509.tif 000007
【図６】
2010170509.tif 000008
【図７】
2010170509.tif 000009
【図８】
2010170509.tif 000010
(57)【要約】【課題】設備費用が高額であるため、エコキュート及びＩＨクッキングヒーターの普及の妨げになっていた。エコキュート、ＩＨクッキングヒーターをレンタルで設置できれば設置家庭が大幅に増え、温暖化防止、光熱費の削減することができる。【解決手段】レンタルシステムを投資として証券化して投資家に販売すれば、設置希望の一般家庭は設置費用の負担がなくレンタル料だけで利用ができ、投資家はレンタル料より配当を得ることができる。そのためにレンタルシステムを使い、レンタル契約の可否、レンタル商品の在庫管理、投資家への収益、配当率を計算するのに必要な手段である。【選択図】図１
2010170512.tif 000002
【特許請求の範囲】
【請求項１】
レンタル契約の契約内容を円滑に履行していけるようにレンタル契約申込者とのレンタル契約の可否をコンピュータにより判断するための方法と装置であって
ａ）レンタル契約申込者の住所、ＴＥＬ、所得、勤務先、勤務年数、家族構成、年間の電気代ガス代灯油代をサーバに入力し記憶する手段。
ｂ）ａで入力されたデータにより、あらかじめサーバに入力された計算式により削減出来る光熱費を計算し、記憶する手段。
ｃ）ａ、ｂの入力データ及び計算結果データにより、あらかじめサーバに入力された計算式により計算し、レンタル契約者の可否を判断し出力する手段。
【請求項２】
レンタル商品をコンピュータで商品コードによって在庫管理し、無駄なく効率よくレンタルシステムを運営する方法と装置であって
ａ）すべてのレンタル商品を商品コード別に保管場所をサーバに入力し、記憶する手段。
ｂ）レンタル契約解除の商品を商品コード別に保管場所をサーバにより入力し、記憶する手段。
ｃ）新規レンタル契約客のレンタル契約商品を最小コストで設置できる保管場所をサーバにより選定し出力する手段。
ｄ）商品在庫が商品コード別に保管場所、数量ともにいつでもサーバにより出力できる手段。
【請求項３】
レンタル契約客をコンピュータで管理し、レンタル料金回収を円滑にし、Ｒシステムを運営する手段と装置であって
ａ）すべてのレンタル契約客の契約内容をサーバに入力し記憶する手段。
ｂ）中途解約したレンタル契約客の清算金をレンタル契約約款による計算式でサーバにより計算し出力する手段。
ｃ）レンタル料金未納のレンタル契約客のリストを毎日定めた日にサーバにより出力する手段。
【請求項４】
電化レンタルシステムの収益と配当率をコンピュータで算出するためのデータ処理方法及び装置であって
ａ）すべてのレンタル商品の商品コード番号によりレンタル料金、元本金額、配当金額、管理運営金額のデータをサーバに入力し、記録する手段。
ｂ）Ｒ商品の商品コード番号によりレンタル料金、元本金額、配当金額、管理運営金額の指定した日の積算を算出する計算式をサーバに入力し、記憶する手段。
ｃ）ａ、ｂのデータにより入力されたすべてのレンタル商品のレンタル料金、元本金額、配当金額、管理運営金額の指定した日の合計を算出する計算式をサーバに入力し記憶する手段。
ｄ）ｃのレンタル料金、元本金額、配当金額、管理運営金額の合計金額から指定した日の投資金に対する配当率を算出する計算式をサーバに入力し、記憶する手段。
ｅ）予め変動条件データをサーバに記録しておく変動条件データ記録手段。
ｆ）ｄの算出した配当率にｅの変動条件データによる指定した日の配当率を補正する計算式をサーバに入力し、記憶する手段。
ｇ）ｆで計算された配当率を出力する手段。
【発明の詳細な説明】
【発明の詳細な説明】
【０００１】本発明は、地球温暖化防止に有効な二酸化炭素を削減出来る、一般家庭へのエコキュート、ＩＨクッキングヒーターの設置を普及促進させるための考案である。
【０００２】従来、一般家庭では給油装置としてガスボイラー、灯油ボイラー、調理器具としてはガスコンロを使用していた。最近、温暖化防止、経済性、安全性などの利点のため、給油設備をエコキュートに、ガスコンロをＩＨクッキングヒーターに交換し電化する家庭が増えてきたが、設置費用が高額であることが普及のネックになっている。
【０００３】月々ガス代、灯油代と同程度の金額で電化設備（エコキュート、ＩＨクッキングヒーター）をレンタルする事ができれば、より多くの家庭で電化設備を導入することが可能である。
【０００４】その方法として、電化レンタルシステムを証券化して投資家に販売するスキームをつくり、投資家に販売して電化レンタルシステムとして運営することである。
【０００５】現在、電化システムを設置するには高額な設備を購入するかリースするしか方法がなく、普及の妨げになっている。
電化レンタルシステムがあれば資金的負担が少なく電化設備を利用できる。
【０００６】本発明は、電化レンタル管理運営会社、レンタルユーザー、証券会社、投資家のビジネス要素とコンピュータによるレンタルシステム基礎データ入力手段、日ベースデータ入力手段、配当率を出力する手段等の構成要素からなるシステム及び方法と装置である。
【０００７】１．温暖化防止
２．安全性
３．レンタルユーザーの光熱費の削減
４．投資家は安全で率の良い配当を得る
【図面の簡単な説明】
【図１】１．レンタル申込みユーザーの入力された基本データにより、すでに入力済みの計算式からレンタル契約の可否を計算し、結果を出力する手段を備えたサーバ。レンタル商品のコード番号により、指定した日の商品のコード別在庫数、保管場所を記憶し出力する手段を備えたサーバ。指定した日の投資家への配当率を計算し、補正し出力する手段を備えたサーバ。２．申込者の基礎データ入力  ３．契約者の基礎データ入力  ４．商品データ入力  ５．配当率出力  ６．配当率出力
【図２】あ．保有  い．レンタル料支払い  う．譲渡代金  え．譲渡  お．購入代金  か．証券販売  き．回収委託  く．管理回収
【図１】
2010170512.tif 000003
【図２】
2010170512.tif 000004
(57)【要約】      （修正有）【課題】従来の会計ソフトウェアでは、設計した開発会社や個別の企業ごとに定められた勘定科目コードを経理係や入力オペレータが把握し、会計処理を要する１事案ごとに伝票への記入を要している。このような一連の作業には、コード体系の把握やソフトウェアの操作方法・キーボードによる文字入力など特有の習練が必須であり、相応の人員もしくは労力が必要であり、これらを改善する。【解決手段】想定される使用場所毎に分類された勘定科目それぞれに使用者ＩＤ・伝票出力日・摘要を一つのコードとして織り込んだ機械読取式符号群を生成し、勘定科目名とその機械読取式符号を併記した伝票を会計処理の都度使用者に対し発行する。記入済みの伝票から選択された機械読取式符号を読取機で読み取り、金額を入力することで「勘定科目コード・使用者・伝票発行日・摘要・金額」の入力が完了する。【選択図】図１
2010170511.tif 000002
【特許請求の範囲】
【請求項１】
想定される使用場所毎に分類された勘定科目を記した伝票を会計処理の都度使用者に対し発行し、使用者もしくは伝票入力・記録係による勘定科目の選定を容易にするとともに、企業における伝票入力・記録係の労力を軽減することができる会計システム。
【請求項２】
個別の使用者ＩＤ・伝票発行日・摘要と使用目的毎に分類された勘定科目コードを織り込んだ機械読取式符号を伝票上に生成することで、伝票入力係は発行後に金額が記された伝票の機械読取式符号を読取機で読み取り金額入力するだけで入力処理を完了できる会計処理システム。
【発明の詳細な説明】
【技術分野】
【０００１】  本発明は、企業の会計処理をするためのパソコン用ソフトウェアに関する。
【背景技術】
【０００２】  従来の一般的な会計処理ソフトウェアは、適した勘定科目に割り当てられた勘定科目コードを一覧から探し出し、そのコードとともに金額、日付、適用などを１件毎に入力する必要がある。
【発明の概要】
【発明が解決しようとする課題】  従来の会計ソフトウェアでは、設計した開発会社や個別の企業ごとに定められた勘定科目コードを経理係や入力オペレータが把握し、会計処理を要する１事案ごとに日付・使用者・摘要を含めて伝票への記入を要し、さらにコンピュータへの手作業による入力を要している。このような一連の作業には、コード体系の把握やソフトウェアの操作方法、キーボードでの入力作法など特有の習練が必須であり、かつ作業工程が煩雑なことにより相応の人員と専門性が必要である。
【課題を解決するための手段】  伝票発行手続き時に、使用場所毎に想定され分類された数種の勘定科目を用意しそれぞれに使用者ＩＤ・伝票出力日・勘定科目コードを一つのコードとして織り込み勘定科目名を併記した機械読取式符号群を一枚の伝票上に生成し、その伝票を会計処理の都度使用者に対し発行する。
【発明の効果】  勘定科目の選定を容易にすることで使用者もしくは伝票入力係は発行された伝票上で選択した勘定科目の機械読取式符号を読取機で読み取り、金額を入力するだけで「使用者・発行日・勘定科目・金額」を内包した伝票入力処理を完了でき、経理事務係の労力を大幅に軽減することができる。
【図面の簡単な説明】
【図１】  伝票発行から記入までの手順を表した図である。
【図２】  記入済みの伝票の入力手順を表した図である。
【発明を実施するための形態】
パーソナルコンピュータ上に発明の内容を含んだソフトウェアと機械読取式符号読取機を導入し、運用する。
【図１】
2010170511.tif 000003
【図２】
2010170511.tif 000004
(57)【要約】【課題】曲面や複雑な形状を有し表面が柔らかく壊れやすい、生花、及び生花を加工し長期間花姿を保つ花材（プリザーブドフラワー）、ドライフラワーなどの被着体に、光沢のある金色、銀色、箔などの文字や絵柄を転写する。【解決手段】転写シートを表面が柔らかい被着体に貼りやすいように水の浸透生の早い柔軟なカバーコート紙を使用する。また、印刷インクが完全硬化する直前に、インク表面に金粉、銀粉、箔などを加工し光沢を高める。【選択図】図１
2010143131.tif 000002
【特許請求の範囲】
【請求項１】
転写シートに文字や絵柄の光沢を高めるために、印刷インクが完全硬化する直前に、インク表面に金粉、銀粉、箔など加工することを特徴とする転写シートの製造方法
【請求項２】
柔軟性が高く水の浸透性が早いカバーコート紙を使用し、被着体に大きな負荷を掛けず転写が出来ることを特徴とする転写シートの製造方法
【請求項３】
請求項２に記載のように水の浸透性が早いことで、被写体に転写シートを固定した後にカバーコート紙の上面から水を染みこませ転写することを特徴とした転写シートの貼付方法
【発明の詳細な説明】
【技術分野】
【０００１】
本発明は、生花、プリザーブドフラワー、ドライフラワーなど、表面が柔らかく凹凸形状の著しい被写体に対する水転写シートの製造方法、および貼付方法。
【背景技術】
【０００２】
従来、生花、プリザーブドフラワー、ドライフラワーなどの花材に対し、文字や絵柄をインクジェット型印刷機で印刷するものである。
【発明の開示】
【発明が解決しようとする課題】
【０００３】
インクジェット型印刷機に使用するインクは、染料系であり、染料系インクは被着体である花材が吸収してしまうことで、印刷した文字や絵柄が１〜２ヶ月で消えてしまう。また、金色、銀色、箔などでの印刷をすることが不可能となっている。
【０００４】
本発明は、曲面や複雑な形状を有し表面が柔らかく壊れやすい、生花、及び生花を加工し長期間花姿を保つ花材（プリザーブドフラワー）、ドライフラワーなどの被着体に、金色、銀色、箔などなどの文字や絵柄を良好な外観で貼付することが出来る方法。およびこの方法に使用する転写シートの製造方法を提供することにある。
【課題を解決するための手段】
【０００５】
本発明の転写シートに使用するカバーコート紙は薄いライスペーパーを使用する。
【０００６】
カバーコート紙にウレタン樹脂系スクリーンインクを用いて印刷を行い、室温２０〜２５℃で１時間ほど乾燥させる。その後、インク表面に金粉、銀粉、箔などの処理を行い完全乾燥させる。
【０００７】
被着体は柔らかく壊れやすいので、被着体に転写する位置に転写シートを軽く固定し、表面より筆や綿棒などで水を染みこませることで、負荷が少なく綺麗に貼付を行うことが出来る。
【発明の効果】
【０００８】
転写シートを表面が柔らかい被着体に貼りやすいように水の浸透生の早い柔軟なカバーコート紙を使用する。また、印刷インクが完全硬化する直前に、インク表面に金粉、銀粉、箔などを加工し光沢を高める。
【発明を実施するための最良の形態】
【０００９】
本発明の実態の形態について添付した図面に基づき説明をする。図１は本発明の転写シートの一例を示した側面図ある。カバーコート紙は、厚さ10〜15μのライスペーパーを使用し、この表面に弱粘性の水性タックインクを厚さ1〜2μで前面に印刷することで、柔軟性の高いカバーコート紙になり、凹凸形状の著しい被写体に対する密着性を高めることができる。
【００１０】
カバーコート紙にウレタン樹脂系スクリーンインクを用いて印刷を行い、室温２０〜２５℃で１時間ほど乾燥させる。その後、インク表面に金粉、銀粉、箔などの処理を行い完全乾燥させることで、薄く均一で光沢のある膜面が出来る。
【００１１】
図２（A）〜（C）は、本発明で製造した転写シートの貼付方法の一例を示す工程図である。（A）では、転写シートから転写保護フィルムを外し、文字、絵柄側を被着体に載せ位置を軽く固定する。その後（B）のようにカバーコート紙の上面より筆などで水を浸透させ軽く押える。そして、転写が完了したらカバーコート紙を外し残った水分を柔らかな布で押さえながら拭き取ることで、（C）のように光沢のある文字、絵柄が転写される
【図面の簡単な説明】
【００１２】
【図１】本発明の転写シート図。
【図２】（A）〜（C）は本発明に係る転写シートの貼付方法の工程図。
【図１】
2010143131.tif 000003
【図２】
2010143131.tif 000004
(57)【要約】【課題】  本発明は、傾いた墓石、灯篭などの物体の修正に使用する持ち上げ補助具で、縦型の長方形板状のつなぎ部の上部にジャッキ受部を水平状に設け、ジャッキ受部にジャッキ受部補助部設け、前記つなぎ部の下部で前記ジャッキ受部と反対側に、水平状に物体受部を設け、物体受部に物体受部補助部を設けたことを特徴とした持ち上げ補助具を提供する。【解決手段】  縦型の長方形板状のつなぎ部（３）の上部にジャッキ受部（１）を水平状に設け、ジャッキ受部（１）にジャッキ受部補助部（２）設け、前記つなぎ部（３）の下部で前記ジャッキ受部（３）と反対側に、水平状に物体受部（４）を設け、物体受部（４）に物体受部補助部（５）を設けたことを特徴とした持ち上げ補助具である。【選択図】図１
2010143763.tif 000002
【特許請求の範囲】
【請求項１】
縦型の長方形板状のつなぎ部（３）の上部にジャッキ受部（１）を水平状に設け、ジャッキ受部（１）にジャッキ受部補助部（２）設け、前記つなぎ部（３）の下部で前記ジャッキ受部（３）と反対側に、水平状に物体受部（４）を設け、物体受部（４）に物体受部補助部（５）を設けたことを特徴とした持ち上げ補助具である。
【発明の詳細な説明】
【技術分野】
【０００１】  本発明は、傾いた墓石、灯篭などの物体の修正に使用する持ち上げ補助具で、縦型の長方形板状のつなぎ部の上部にジャッキ受部を水平状に設け、ジャッキ受部にジャッキ受部補助部設け、前記つなぎ部の下部で前記ジャッキ受部と反対側に、水平状に物体受部を設け、物体受部に物体受部補助部を設けたことを特徴とした持ち上げ補助具に関するものである。
【背景技術】
【０００２】  従来、墓石、灯篭等の石の構造物は、外見は小さくても重く、重桟などを用いて行うことが出来るが、墓地、庭等ではスペースが狭く、重桟等は用いにくく、また、用いてもコスト高になり、少々傾いた墓石、灯篭などは、そのままというのが現状で、また、人手に頼ると、狭い場所で多人数が必要となり、危険度が高かった。
【発明の開示】
【発明が解決しようとする開示】
【０００３】  そのために次のような問題点があった。
従来の方法では、狭い場所での作業は大変であった。
不便な所での仕事はコンパクトな道具だと運搬が容易で、１人で仕事が可能なうえ、低コストとなり、現場事故が少なくなる。
本発明は、以上の問題点を解決するために、要望を満たすためになされたものである。
【課題を解決するための手段】
【０００４】  上記問題を解決するため本発明は、縦型の長方形板状のつなぎ部（３）の上部にジャッキ受部（１）を水平状に設ける。
ジャッキ受部（１）にジャッキ受部補助部（２）設ける。
前記つなぎ部（３）の下部で前記ジャッキ受部（３）と反対側に、水平状に物体受部（４）を設ける。
物体受部（４）に物体受部補助部（５）を設ける。
本発明は以上のことを特徴とした持ち上げ補助具である。
【発明の効果】
【０００５】  狭い場所、不便な所での仕事は、コンパクトな道具だと運搬が容易で、１人で仕事ができるようになる。
低コストで作業が、できる。
現場事故が少なくなる。
本発明の持ち上げ補助具で、１人で、７〜８基の墓石を１日で修正することができる。
【発明を実施するための最良の形態】
【０００６】  以下、本発明の実施の形態について説明する。
（イ）縦型の長方形板状のつなぎ部（３）の上部にジャッキ受部（１）を水平状に設ける。
（ロ）ジャッキ受部（１）にジャッキ受部補助部（２）設ける。
（ハ）前記つなぎ部（３）の下部で前記ジャッキ受部（３）と反対側に、水平状に物体受部（４）を設ける。
（ニ）物体受部（４）に物体受部補助部（５）を設ける。
本発明は以上のような構成である。
厚さ１０ミリ程の鉄板を巾１０ｃｍ程に、長い方は供用するジャッキ（６）の縮んだ状態より３ｃｍ程長く、短い方は１２ｃｍ程に２枚、計３枚を切断し、ダブルＬ型状に配置し溶接。
ジャッキ（６）と物体（７）の接地面にゴムなどで滑り止めを貼り付ける。
ジャッキ受部面は縦鉄板に対し９０度に溶接、物体受部面は縦鉄板に対し９０度よりやや上向きに溶接する。
物体の下部を持ち上げ補助具の瓜が掛かる程度に掘り下げジャッキ（６）をセットし、持ち上げ補助具は出来るだけ物体（７）に密着するようにセットする。
ジャッキ台座（９）にジャッキ稼動棒（８）を設ける。
【図面の簡単な説明】
【０００７】
【図１】  本発明の斜視図である。
【図２】  本発明の使用状態を示した斜視図である。
【符号の説明】
【０００８】１  ジャッキ受部
２  ジャッキ受部補助部
３  つなぎ部
４  物体受部
５  物体受部補助部
６  ジャッキ
７  物体
８  ジャッキ稼動棒
９  ジャッキ台座
【図１】
2010143763.tif 000003
【図２】
2010143763.tif 000004
(57)【要約】【課題】従来のテープ台ではテープの末端は折りたたまれることはない。末端が折りたたまれていなく、全面を対象物に粘着させるため、剥がす場合には取掛かり部が存在せず容易に剥がすことはできない。また、貼り付ける場合も手に粘着面を一度触れるため、皮膚へも負荷をかけることとなっている。本発明はこの課題を解消するものである。【解決の手段】テープ台のテープ切断時にテープの末端を留め置きする箇所を２箇所に設置する。この箇所は可動し、テープ粘着面を中に末端部を折りたたむ。折りたたみが完了後、折りたたみ部を引き出すことで粘着面を持つことなくテープを扱うことが可能となる。また、この折りたたみ部分を剥がす場合の取掛かり部として利用することで簡便に剥がすことが可能となる。【選択図】図１
2010143768.tif 000002
【特許請求の範囲】
【請求項１】
セロハンテープの末端を折り返す機能を持ったテープ台。
【発明の詳細な説明】
【技術分野】
【０００１】本発明は、折り込む操作を実施することでテープ粘着面に触れることなく、テープの末端を折り返すことができる。
【発明が解決しようとする課題】
【０００２】従来のテープ台ではテープの末端は折りたたまれることはない。末端が折りたたまれていなく、全面を対象物に粘着させるため、剥がす場合には取掛かり部が存在せず容易に剥がすことはできない。また、貼り付ける場合も手に粘着面を一度触れるため、皮膚へも負荷をかけることとなっている。本発明はこの課題を解消するものである。
【課題を解決するための手段】
【０００３】テープ台のテープ切断時にテープの末端を留め置きする箇所を２箇所に設置する。この箇所は可動し、テープ粘着面を中に末端部を折りたたむ。折りたたみが完了後、折りたたみ部を引き出すことで粘着面を持つことなくテープを扱うことが可能となる。また、この折りたたみ部分を剥がす場合の取掛かり部として利用することで簡便に剥がすことが可能となる。
【発明の効果】
【０００４】従来のテープのみで使用可能であり、従来のテープ台と同等の使用方法で簡便に剥がすことができる。また、直接粘着面と触れないことで肌をいためることがなくなる。
【発明を実施するための最良の形態】
【０００５】テープの仮置きをする面を２箇所持ち、その一方、または両方を可動させることでテープの粘着面を接合することができる。
【実施例１】
【０００６】図１は、テープを使用する前の状態の図である。
図２は、テープの仮置きをし、テープを１０５、１０７にて押さえた状態の図である。
図３は、テープを押さえた１０５、１０６を可動させている状態の図である。
図４は、１０５、１０７によってテープが折りたたまれた状態の図である。
図５は、１０５、１０７にてテープを押さえたままテープの仮置き場所である１０６をテープから離した後の図である。
図６は、テープの使用準備ができた状態の図である。【０００７】通常使用時は１０７のテープの押さえは、テープの動線にないことが望ましい。折りたたみ操作時にテープの動線上にセットされるほうが使い勝手が良いと考えられる。
折りたたみ操作をすることによって、１０５、１０６によって、テープが仮置きの場所に固定される。
この仮置きをしている１０５、１０６が角度をつけて移動することによって、テープを折り返す。
そして、テープの押さえである１０５，１０７によって完全に折りたたむと同時にテープの仮置きの場所である１０６からテープをスムーズに剥離させる時に押さえとして機能する。
これによって、テープに折りたたみ部分が作成でき、そこを持つことで、テープの粘着面に指を触れることなくテープを扱えるため、指への負担軽減、また綺麗に扱うことが可能となる。
【図面の簡単な説明】
【０００８】
【図１】本発明の一実施形態を示した断面図である。（実施例１）
【図２】本発明の一実施形態を示した断面図である。（実施例１）
【図３】本発明の一実施形態を示した断面図である。（実施例１）
【図４】本発明の一実施形態を示した断面図である。（実施例１）
【図５】本発明の一実施形態を示した断面図である。（実施例１）
【図６】本発明の一実施形態を示した断面図である。（実施例１）
【符号の説明】
【０００９】１０１      テープホルダー、及びテープ
１０２      テープ台
１０３      カッター
１０４      テープ
１０５      テープの仮置きの押さえ
１０６      テープの仮置きのための場所
１０７      テープの仮置きの押さえ
２０１      折り返されたテープ
【図１】
2010143768.tif 000003
【図２】
2010143768.tif 000004
【図３】
2010143768.tif 000005
【図４】
2010143768.tif 000006
【図５】
2010143768.tif 000007
【図６】
2010143768.tif 000008
(57)【要約】【課題】従来は、したじきとクリアファイルは別々で不便だった。それを１つにすることにより、使用用途が増え、捨てられる確率が減ることでＣＯ２削減にもつながる。便利なしたじきとクリアファイル（名刺入れポケット付）を貼り付けたしたじきファイルを提供する。【解決手段】カードケース（１）にクリアファイル（２）をＬ字でのりづけし、クリアファイル（２）に名刺入れポケット（３）を貼り付けることが特長とする。【選択図】図１
2010143215.tif 000002
【特許請求の範囲】
【請求項１】
カードケース（Ａ４サイズ）にクリアファイル（名刺入れポケット付）を付けたファイルしたじき。
【請求項２】
カードケースの中に会社・お店の知名度アップのためのコマーシャルチラシ・クリアファイルにオンリーワン（個人の自己表現、夢・目標など）を入れて、毎日、目にすることができるファイルしたじき。
使用用途が増えることで、捨てられる確率が減り、ＣＯ２削減にもつながる。
【発明の詳細な説明】
【技術分野】
【０００１】この発明は、カードケースにクリアファイル（名刺入れポケット付）を付けたコマーシャルツールとして使えるファイルしたじきに関するものである。
【背景技術】
【０００２】従来、したじきとクリアファイルは別々になっていた。
【発明の開示】
【発明が解決しようとする課題】
【０００３】これは、次のような問題点があった。
コマーシャルツールとしてのしたじき、クリアファイルは多いが、業者側から見ると印刷コストがかかるわりに、捨てられる率が高く、お客様側から見ると使用する用途に乏しい。本発明は、以上のような欠点をなくすためになされた。
【課題を解決するための手段】
【０００４】したじきにカードケース（Ａ４サイズ）を使用し、クリアファイル（名刺入れポケット付）を貼り付ける。
【発明の効果】
【０００５】したじきとファイルが一体になっているので、どちらの用途としても使用できる。
また、コマーシャルチラシを入れることができ、毎日目にすることにより、コマーシャル効果が高くなる。
【発明を実施するための最良の形態】
【０００６】以下、本発明の実施例について説明する。
（図１参照）
本発明は、以上のような構造で、これを使用する際は、ファイル内にコマーシャル・大切にしたいもの、又カードや名刺を入れることで、営業ツールに！夢の実現の為の目標入れに！各記念日・行事などに！プレゼントに！と又、したじきとしてもファイルとしても使用することが出来る。
【図面の簡単な説明】
【０００７】
【図１】本発明の図である。
【符号の説明】
１  カードケース（Ａ４サイズ）
２  クリアファイル
３  フィルムシート
４  名刺入れポケット
【図１】
2010143215.tif 000003
(57)【要約】【課題】ちぎり絵や切り絵では絵柄の模様が平面的であり、絵柄表面を凸凹に形成することは不可能だった。本発明は、和紙の素材を活かし従来不可能とされた、凸凹ができることで深みのある立体貼り絵の製造方法を提供する。【解決手段】次の方法からなる立体貼り絵の製造方法である。第一工程、厚紙、木板やポスターパネル等からなる基板（１）の上面に基絵（２）を着脱自在に粘着させ、基絵（２）の絵柄（３）の輪郭線（４）に沿って溝（５）を彫り込む。第二工程、基絵（２）から絵柄（３）を剥がし、該絵柄の後に和紙素材（６）を貼り付けその後、絵柄（３）の輪郭線（４）の外側片（７）を残して外側を切除する。第三工程、絵柄（３）の外側片（７）を溝（５）に差し込み、基板（１）の表面に絵柄模様（８）を立体部分に形成する。【選択図】図１
2010143216.tif 000002
【特許請求の範囲】
【請求項１】
第一工程  厚紙、木板やポスターパネル等からなる基板（１）の上面に基絵（２）を着脱自在に粘着させ、基絵（２）の絵柄（３）の輪郭線（４）に沿って溝（５）を彫り込む。
第二工程  基絵（２）から絵柄（３）を剥がし、該絵柄の後に和紙素材（６）を貼り付けその後、絵柄（３）の輪郭線（４）の外側片（７）を残して外側を切除する。
第三工程  絵柄（３）の外側片（７）を溝（５）に差し込み、基板（１）の表面に絵柄模様（８）を立体的に形成する。
以上の第一工程より第三工程からなる立体貼り絵の製造方法。
【請求項２】
絵柄模様（８）の立体部分が紙粘土や綿などで複数枚の和紙素材（６）を重合張付して絵柄の凸凹を形成し、絵柄模様（８）を強調してなる、請求項１の立体貼り絵の製造方法。
【発明の詳細な説明】
【技術分野】
【０００１】本発明は、ちぎり絵と切り絵を組み合わせた立体貼り絵の製造方法に関するものである。
【背景技術】
【０００２】  従来、和紙の素材を生かし手でちぎり台紙に貼り付けるちぎり絵や、基絵から絵柄の部分を切り抜く切り絵などの作品が知られている。
【発明の開示】
【発明が解決しようとする課題】
【０００３】  ちぎり絵は、和紙をちぎり重ねて色紙に貼り付けているため絵柄の凸凹を強調すること不可能だった。
又、切り絵では絵柄の模様が平面的であり絵柄表面を、凸凹に形成することは不可能だった。
本発明は、以上の問題を解決するためになされたものである。
【課題を解決するための手段】
【０００４】  次の方法からなる立体貼り絵の製造方法である。
第一工程
厚紙、木板やポスターパネル等からなる基板（１）の上面に基絵（２）を着脱自在に粘着させ、基絵（２）の絵柄（３）の輪郭線（４）に沿って溝（５）を彫り込む。
第二工程
基絵（２）から絵柄（３）を剥がし、該絵柄の後に和紙素材（６）を貼り付けその後、絵柄（３）の輪郭線（４）の外側片（７）を残して外側を切除する。
第三工程
絵柄（３）の外側片（７）を溝（５）に差し込み、基板（１）の表面に絵柄模様（８）を立体的に形成する。
第四工程
絵柄模様（８）の立体部分を強調したい部分は、必要に応じて紙粘土や綿などで複数枚の和紙素材（６）を張付し、絵柄の凸凹を明確に形成する。
以上の工程よりなる。
【発明の効果】
【０００５】  和紙の素材を活かし一枚一枚すべてが違い、立体貼り絵の作品になり特色を生かしたオリジナル作品になり、従来不可能とされた、凸凹面できることで深みのある立体貼り絵の作品ができる。
【発明を実施するための最良の形態】
【０００６】以下の本発明の実施の形態を説明する。
第一工程
厚紙、木板やポスターパネル等からなる基板（１）の上面にノリを塗布し、ノリの表面に基絵（２）を着脱自在に粘着させ、基絵（２）の絵柄（３）の輪郭線（４）に沿って約５ミリ深さの溝（５）をカッターで彫り込む。
第二工程
基絵（２）から絵柄（３）を剥がして削除し、該絵柄の後に和紙素材（６）を貼り付け、絵柄（３）の輪郭線（４）より約５ミリの外側片（７）を残して外側をハサミで切り切除する。
第三工程
絵柄（３）の外側片（７）を加工ペンのペン先で溝（５）に差し込み押し付け、基板（１）表面に絵柄模様（８）を立体的に形成する。
第四工程
絵柄模様（８）の立体部分を強調したい部分は、必要に応じて紙ねんどや綿などで複数枚の和紙素材（６）を張付し、絵柄の凸凹を明確に形成する。
以上の工程よりなる立体貼り絵の製造方法である。
【図面の簡単な説明】
【０００７】
【図１】  本発明の斜視図
【図２】  本発明の実施状態を示す斜視図
【図３】  本発明の実施状態を示す要部断面図
【符号の説明】
【０００８】１、  基板
２、  基絵
３、  絵柄
４、  輪郭線
５、  溝
６、  和紙素材
７、  外側片
８、  絵柄模様
【図１】
2010143216.tif 000003
【図２】
2010143216.tif 000004
【図３】
2010143216.tif 000005